(57)【要約】【課題】鉄骨軸組構造の住宅のリフォームにおける窓サイズの変更を、簡単かつ安全に行う。【解決手段】開口部用軸組１に取り付けてある既設の外壁パネル２、２及び既設の窓３を取り外して、その開口部用軸組１の外周枠５内に取り付けてある既設の開口形成用枠材６、７を取り外した後、この既設の開口形成用枠材６、７とは大きさの異なる新設の開口形成用枠材３０、３１を外周枠５に連結具３２を用いて連結する。そして、この開口部用軸組１に対して新設の外壁パネル７０、７０及び新設の窓７１を取り付けることで、窓サイズを変更する。【選択図】図１
2008121322.tif 000002
【特許請求の範囲】
【請求項１】
開口部用軸組（１）に取り付けてある既設の外壁パネル（２）（２）及び既設の窓等の開口部（３）を取り外して、その開口部用軸組（１）の外周枠（５）内に取り付けてある既設の開口形成用枠材（６）（７）を取り外した後、この既設の開口形成用枠材（６）（７）とは大きさの異なる新設の開口形成用枠材（３０）（３１）を前記外周枠（５）に連結具（３２）を用いて連結することで、前記開口部用軸組（１）の開口サイズを小さく又は大きくして、この開口部用軸組（１）に新設の外壁パネル（７０）（７０）及び新設の窓等の開口部（７１）を取り付けることを特徴とする住宅における窓等の開口部のサイズ変更方法。
【請求項２】
開口部用軸組（１）に取り付けてある既設の外壁パネル（２）（２）及び既設の窓等の開口部（３）を取り外して、新設の開口形成用枠材（８０）を前記開口部用軸組（１）の外周枠（５）に連結具（３２）を用いて連結することで、前記開口部用軸組（１）の開口サイズを小さくして、この開口部用軸組（１）に新設の外壁パネル（７０）（７０）及び新設の窓等の開口部（７１）を取り付けることを特徴とする住宅における窓等の開口部のサイズ変更方法。
【請求項３】
前記新設の開口形成用枠材（３０）（３１）（８０）は、横材（３５）（５０）（８２）と縦材（３６）（５１）（５２）（８３）（８４）を組み合わせてなり、前記連結具（３２）は、前記横材の端部及び／又は縦材の端部に設けた接合部材（４０）（４１）・・と、これら接合部材（４０）（４１）・・を前記外周枠（５）に止め付ける係止部材（６０）・・とからなる請求項１又は２記載の住宅における窓等の開口部のサイズ変更方法。
【請求項４】
前記接合部材（４０）（４１）は、前記横材又は縦材に固着された固定プレート（４２）（４６）と、この固定プレート（４２）（４６）から延出したボルト挿通孔（４３）（４７）付きの接合プレート（４４）（４８）とからなり、前記係止部材（６０）は、前記外周枠（５）に係合する係止プレート（６２）と、この係止プレート（６２）に突設した連結ボルト（６１）と、この連結ボルト（６１）に螺合するナット（６３）とからなり、前記外周枠（５）に前記係止プレート（６２）を係合した状態で、前記連結ボルト（６１）を前記接合プレート（４４）（４８）のボルト挿通孔（４３）（４７）に挿通させて、その連結ボルト（６１）に前記ナット（６３）を螺合して締め付けることで、前記接合プレート（４４）（４８）を前記外周枠（５）に接合する請求項３記載の住宅における窓等の開口部のサイズ変更方法。
【請求項５】
前記接合プレート（４４）は、前記外周枠（５）のリップ付き溝形鋼からなる枠材（１０）のリップ外面側に当接したときに、前記リップ間の隙間に嵌り込んで前記接合プレート（４４）の回転を規制する爪部（４５）（４５）を備えている請求項４記載の住宅における窓等の開口部のサイズ変更方法。
【請求項６】
前記係止プレート（６２）は、前記外周枠（５）のリップ付き溝形鋼からなる枠材（１０）（１１）（１２）の溝内へリップ間の隙間を通して挿入可能とされ、且つ、この挿入状態から前記連結ボルト（６１）を中心として所定角度回転させることで、前記枠材（１０）（１１）（１２）のフランジ内面間に跨って回転が規制されるとともに前記リップ間の隙間からの抜けが規制される請求項４又は５記載の住宅における窓等の開口部のサイズ変更方法。
【発明の詳細な説明】
【技術分野】
【０００１】
この発明は、主として鉄骨軸組構造の住宅における窓等の開口部のサイズ変更方法に関する。
【背景技術】
【０００２】
鉄骨軸組構造の住宅のリフォームに際して、外壁部の窓サイズを変更する場合、既設の開口部用軸組に取り付けてある既設の外壁パネル及び既設の窓を取り外し、さらに既設の開口部用軸組を取り外して、これらの代わりに、開口サイズの小さい又は大きい新設の開口部用軸組を取り付けて、この新設の開口部用軸組に新設の外壁パネル及び新設の窓を取り付けるといった方法が知られている。このような軸組の取り替えについては、例えば特許文献１にも開示されている。
【０００３】
また、特許文献２にも開示されているように、既設の外壁パネル及び既設の窓を取り外すことによって露出した既設の開口部用軸組において、その外周枠内に取り付けてある開口形成用枠材の取り付け位置を変えることで開口サイズを変更して、その開口サイズを変更した既設の開口部用軸組に新設の外壁パネル及び新設の窓を取り付けるといった方法もある。
【０００４】
【特許文献１】特開２００２−３５７００４号公報
【特許文献２】特開２００３−３６７８号公報
【発明の開示】
【発明が解決しようとする課題】
【０００５】
一般に、既設の開口部用軸組は、トラス、梁、基礎、隣接軸組等の周囲の既設部材に接合ボルトで接合されている。従って、上記のように既設の開口部用軸組を取り外す場合には、これら接合ボルトを取り除く必要があり、多大な労力と時間を要することになって施工性の悪化を招いていた。特に、隣接軸組との接合に利用されている接合ボルトの除去に際しては、隣接軸組に取り付けてある既設の外壁パネルを一旦取り外して、軸組交換後に再度取り付けるといった余分な作業を強いられていた。また、基礎との接合に利用されているアンカーボルトは、基礎に埋め込まれているので容易に除去することができず、既設の開口部用軸組の取り外しを困難にしていた。
【０００６】
一方、既設の開口部用軸組を取り外すことなく、その外周枠内における開口形成用枠材の取り付け位置を変えることで開口サイズを変更する場合には、上記のような接合ボルトの取り除き作業を不要とすることができる。しかしながら、現状において、このような既設の開口部用軸組に対する確立された加工技術はなく、ほとんどが溶接等による現場任せの対応となっている。このため、施工性の悪化を招き易く、また溶接による場合には火花等が火災の原因となるため安全性においても問題があった。
【０００７】
この発明は、上記に鑑み、鉄骨軸組構造の住宅における窓等の開口部のサイズ変更に際して、既設の開口部用軸組に対する現場任せとなっていた曖昧な加工技術を明確にすることで、施工性及び安全性の向上を図ることを目的とする。
【課題を解決するための手段】
【０００８】
上記課題を解決するため、この発明の住宅における窓等の開口部のサイズ変更方法は、開口部用軸組１に取り付けてある既設の外壁パネル２、２及び既設の窓等の開口部３を取り外して、その開口部用軸組１の外周枠５内に取り付けてある既設の開口形成用枠材６、７を取り外した後、この既設の開口形成用枠材６、７とは大きさの異なる新設の開口形成用枠材３０、３１を前記外周枠５に連結具３２を用いて連結することで、前記開口部用軸組１の開口サイズを小さく又は大きくして、この開口部用軸組１に新設の外壁パネル７０、７０及び新設の窓等の開口部７１を取り付けることを特徴とする。
【０００９】
また、別の発明の住宅における窓等の開口部のサイズ変更方法は、開口部用軸組１に取り付けてある既設の外壁パネル２、２及び既設の窓等の開口部３を取り外して、新設の開口形成用枠材８０を前記開口部用軸組１の外周枠５に連結具３２を用いて連結することで、前記開口部用軸組１の開口サイズを小さくして、この開口部用軸組１に新設の外壁パネル７０、７０及び新設の窓等の開口部７１を取り付けることを特徴とする。
【００１０】
上記において、前記新設の開口形成用枠材３０、３１、８０は、横材３５、５０、８２と縦材３６、５１、５２、８３、８４を組み合わせてなり、前記連結具３２は、前記横材の端部及び／又は縦材の端部に設けた接合部材４０、４１・・と、これら接合部材４０、４１・・を前記外周枠５に止め付ける係止部材６０・・とからなる。
【００１１】
具体的に、前記接合部材４０、４１は、前記横材又は縦材に固着された固定プレート４２、４６と、この固定プレート４２、４６から延出したボルト挿通孔４３、４７付きの接合プレート４４、４８とからなり、前記係止部材６０は、前記外周枠５に係合する係止プレート６２と、この係止プレート６２に突設した連結ボルト６１と、この連結ボルト６１に螺合するナット６３とからなり、前記外周枠５に前記係止プレート６２を係合した状態で、前記連結ボルト６１を前記接合プレート４４、４８のボルト挿通孔４３、４７に挿通させて、その連結ボルト６１に前記ナット６３を螺合して締め付けることで、前記接合プレート４４、４８を前記外周枠５に接合する。
【００１２】
また、前記接合プレート４４は、前記外周枠５のリップ付き溝形鋼からなる枠材１０のリップ外面側に当接したときに、前記リップ間の隙間に嵌り込んで前記接合プレート４４の回転を規制する爪部４５、４５を備えている。
【００１３】
さらに、前記係止プレート６２は、前記外周枠５のリップ付き溝形鋼からなる枠材１０、１１、１２の溝内へリップ間の隙間を通して挿入可能とされ、且つ、この挿入状態から前記連結ボルト６１を中心として所定角度回転させることで、前記枠材１０、１１、１２のフランジ内面間に跨って回転が規制されるとともに前記リップ間の隙間からの抜けが規制される。
【発明の効果】
【００１４】
この請求項１乃至６の発明によると、住宅における窓等の開口部のサイズ変更に際して、既設の開口部用軸組を取り外すことなく設置した状態のままで、その開口部用軸組の外周枠内に取り付けてある既設の開口形成用枠材を取り外すか若しくは取り外さずに、新設の開口形成用枠材を連結具を用いて取り付けて、開口部用軸組の開口サイズを変更した後、新設の外壁パネル及び新設の窓等の開口部を取り付けているので、現場任せとなっていた曖昧な技術を明確にし、従来のような面倒な接合ボルトの取り除き作業や危険な溶接作業をなくして、施工性及び安全性の向上を図ることができる。
【００１５】
また、請求項５、６の発明によると、ナットの締付時における接合プレートや係止プレートの共廻りを防止して、ナットの締め付け作業を安定して行うことができ、施工性をより一層高めることができる。さらに、接合プレートの爪部が、枠材のリップ間の隙間に嵌り込むことで、新設の開口形成用枠材の取り付け時に、開口部用軸組の外周枠に対して新設の開口形成用枠材を精度良く位置決めすることができ、しかも新設の開口形成用枠材の取り付け後においても、水平外力よる新設の開口形成用枠材の揺れやがた付きを防止して、良好な取付状態を維持することができる。
【発明を実施するための最良の形態】
【００１６】
以下、この発明の実施形態を図面に基づいて詳細に説明する。図１は、鉄骨軸組構造の住宅のリフォームに際して、外壁部の窓サイズを変更する場合の手順を示している。このサイズ変更に際しては、まず開口部用軸組１に取り付けてある既設の外壁パネル２、２及び既設の窓３を取り外して、開口部用軸組１を露出させる。
【００１７】
開口部用軸組１は、方形枠状の外周枠５と、この外周枠５内に溶接によって取り付けられた上下の開口形成用枠材６、７とを備えている。外周枠５は、リップ付き溝形鋼からなる左右一対の縦枠材１０、１０、これら縦枠材１０、１０の上端部間を連結するリップ付き溝形鋼からなる上枠材１１、縦枠材１０、１０の下端部間を連結するリップ付き溝形鋼からなる下枠材１２から構成されており、これら縦枠材１０、１０、上枠材１１及び下枠材１２は、それぞれのリップが内側に向くようにして方形枠状に組み付けられている。
【００１８】
上側の開口形成用枠材(窓上フレーム)６は、外周枠５の縦枠材１０、１０間に差し渡された溝形鋼からなる横材２０と、この横材２０の中央部から上方へ突出して、外周枠５の上枠材１１の中央部に連結された溝形鋼からなる一対の縦材２１、２１とからなる。下側の開口形成用枠材(窓下フレーム)７は、外周枠５の縦枠材１０、１０間に差し渡された溝形鋼からなる横材２２と、この横材２２の中央部から下方へ突出して、外周枠５の下枠材１２の中央部に連結された溝形鋼からなる一対の縦材２３、２３とからなる。そして、上下の開口形成用枠材６、７の横材２０、２２と、外周枠５の縦枠材１０、１０とによって囲まれた部分が窓取付用開口２５となっている。
【００１９】
次に、露出した開口部用軸組１の外周枠５内に取り付けてある上下の既設の開口形成用枠材６、７を切断除去した後、外周枠５は取り外すことなくそのまま設置した状態とし、既設の開口形成用枠材６、７よりも寸法の小さな新設の開口形成用枠材３０、３１を別途用意して、これら新設の開口形成用枠材３０、３１を外周枠５に対して連結具３２を用いて溶接レスで連結することで、開口部用軸組１の窓取付用開口３３のサイズを大きくしている。
【００２０】
新設の上側の開口形成用枠材(窓上フレーム)３０は、図２に示すように、外周枠５の縦枠材１０、１０間に差し渡されるリップ付き溝形鋼からなる横材３５と、この横材３５の中央部から上方へ突出して、外周枠５の上枠材１１の中央部に取り付けられるリップ付き溝形鋼からなる一対の縦材３６、３６とを一体的に組み付けてなる。なお、横材３５は、そのリップが上向きとなるようにして配され、縦材３６、３６は、互いのウエブ部分を重ね合わせるようにして配されている。
【００２１】
この開口形成用枠材３０における横材３５の左右両端部には、接合部材４０、４０がそれぞれ設けられ、縦材３６、３６の上端部には、接合部材４１、４１がそれぞれ設けられている。接合部材４０は、図３に示すように、横材３５のウエブ外面側に固着された固定プレート４２と、この固定プレート４２から上方へ延出したボルト挿通孔４３付きの接合プレート４４とによって全体的に略Ｌ形に形成されている。接合プレート４４のボルト挿通孔４３は、上下方向に沿って延びる長孔状となっていて、その上端が開放されている。また、接合プレート４４の上端部には、ボルト挿通孔４３を挟むようにして一対の爪部４５、４５が曲げ加工されている。接合部材４１は、図４に示すように、縦材３６のリップ外面側に固着された固定プレート４６と、この固定プレート４６から左右方向へ延出したボルト挿通孔４７付きの接合プレート４８とによって全体的に略Ｌ形に形成されている。接合プレート４８のボルト挿通孔４７は、左右方向に沿って延びる長孔状となっていて、その側端が開放されている。
【００２２】
新設の下側の開口形成用枠材(窓下フレーム)３１は、図２に示すように、外周枠５の縦枠材１０、１０間に差し渡されるリップ付き溝形鋼からなる横材５０と、この横材５０の中央部から下方へ突出して、外周枠５の下枠材１２の中央部に取り付けられるリップ付き溝形鋼からなる一対の縦材５１、５１と、これら縦材５１、５１を挟むようにして横材５０の両端部から下方へ突出して、外周枠５の下枠材１２の両端部に取り付けられるリップ付き溝形鋼からなる一対の縦材５２、５２とを一体的に組み付けてなる。なお、横材５０は、そのリップが下向きとなるようにして配され、縦材５１、５１は、互いのウエブ部分を重ね合わせるようにして配されている。
【００２３】
この開口形成用枠材３１における横材５０の左右両端部には、上記の接合部材４０、４０がそれぞれ設けられ、縦材５１、５２・・の下端部には、上記の接合部材４１、４１がそれぞれ設けられている。なお、接合部材４０、４０は、その固定プレート４２、４２が横材５０のリップ外面側に固着されている。
【００２４】
連結具３２は、開口形成用枠材３０、３１に設けた上記の接合部材４０、４１・・と、これら接合部材４０、４１・・を外周枠５に止め付ける係止部材６０・・とから構成されている。係止部材６０・・は、図５に示すように、外周枠５に係合する係止プレート６２と、この係止プレート６２に突設した連結ボルト６１と、この連結ボルト６１に螺合するナット６３とからなる。係止プレート６２は、相対する一対のコーナー部分が斜めに切り欠かれた略長方形状に形成され、その長辺側の長さが外周枠５の各枠材１０、１１、１２におけるリップ間の隙間の幅寸法よりも長く、短辺側の長さがリップ間の隙間の幅寸法よりも短くなって、その略中央において連結ボルト６１が突設されている。従って、この係止プレート６２は、図６に示すように、その長辺側を外周枠５の各枠材１０、１１、１２におけるリップ間の隙間に沿わせることで、外周枠５の各枠材１０、１１、１２の溝内へリップ間の隙間を通して挿入可能とされ、且つ、この挿入状態から連結ボルト６１を中心として約９０度回転させることで、枠材１０、１１、１２のフランジ内面間に跨って回転が規制されるとともに、リップ内面側に当接してリップ間の隙間からの抜けが規制されるようになっている。
【００２５】
このような連結具３２を用いた外周枠５への新設の開口形成用枠材３０、３１の連結は、以下のようにしてなされる。すなわち、図７及び図８に示すように、外周枠５内の所定位置に新設の開口形成用枠材３０をセットした状態で、外周枠５の縦枠材１０の溝内に係止プレート６２を挿入するとともに、この係止プレート６２を溝内においてスライドさせながら、縦枠材１０のリップ間の隙間から突出した連結ボルト６１を接合プレート４４のボルト挿通孔４３に挿通させる。このとき、ボルト挿通孔４３の上端は開放されているので、その開放部分からボルト挿通孔４３へ連結ボルト６１を簡単に差し入れることができる。この状態で、連結ボルト６１にナット６３を螺合して締め付ける。
【００２６】
このナット６３の締め付けに伴って、係止プレート６２は当初共廻りするが、縦枠材１０のフランジ内面に当接することでそれ以上は回転しなくなる。これにより、ナット６３の締め付けに伴う係止プレート６２の共廻りが規制されて、連結ボルト６１の頭部を支持しなくても、ナット６３の締め付け作業を安定して行うことができる。また、接合プレート４４は、外周枠５の縦枠材１０のリップ外面側に当接したときに、その爪部４５、４５がリップ間の隙間に嵌り込むようになっているので、ナット６３の締め付けに伴って接合プレート４４が共廻りしようとしても、爪部４５、４５が縦枠材１０のリップに当たって共廻りが規制される。これにより、開口形成用枠材３０の横材３５を外周枠５の縦枠材１０に精度良く位置決めしながら、ナット６３の締め付け作業を安定して行うことができる。そして、最終的には、係止プレート６２と接合プレート４４との間で縦枠材１０のリップを挟み込み、接合プレート４４が外周枠５の縦枠材１０に接合される。この接合プレート４４の接合は、開口形成用枠材３０の横材３５の両端部においてなされ、開口形成用枠材３０の横材３５が外周枠５の縦枠材１０、１０間に差し渡された状態で固定される。
【００２７】
開口形成用枠材３０の縦材３６、３６も、図９に示すように、上記と同様にして、その上端部に設けた接合プレート４８、４８が外周枠５の上枠材１１に接合される。これにより、新設の上側の開口形成用枠材３０が既設の開口部用軸組１の外周枠５内に取り付けられる。一方、下側の開口形成用枠材３１も、上側の開口形成用枠材３０と同様にして、連結具３２を用いて既設の開口部用軸組１の外周枠５内に取り付けられる。なお、図１０は、開口形成用枠材３１の縦材５１、５２・・の下枠材１２への連結状態を示している。
【００２８】
このように、既設の開口部用軸組１の外周枠５内に、新設の開口形成用枠材３０、３１を取り付けることで、開口部用軸組１の窓取付用開口３３のサイズを大きくして、最終的には、この開口部用軸組１に対して新設の外壁パネル７０、７０及び新設の窓７１を取り付けることで、外壁部の窓サイズを大きくしている。
【００２９】
なお、上記実施形態においては、既設の開口形成用枠材６、７を取り外して、これよりも寸法の小さな新設の開口形成用枠材３０、３１を取り付けていたが、既設の開口形成用枠材６、７よりも寸法の大きな新設の開口形成用枠材を取り付けるようにして、外壁部の窓サイズを小さくしても良い。また、上下の既設の開口形成用枠材６、７のうちの一方のみ取り外して、これに対応する新設の開口形成用枠材３０、３１のうちの一方を取り付けるようにしても良い。さらに、大きさや形状の異なる数種類の新設の開口形成用枠材を用意しておいて、これらを選択的に組み合わせて使用しても良く、この場合、多様な窓サイズの変更に柔軟に対応することができる。
【００３０】
図１１は、鉄骨軸組構造の住宅のリフォームに際して、外壁部の窓サイズを変更する場合の別の手順を示している。このサイズ変更に際しては、まず開口部用軸組１に取り付けてある既設の外壁パネル２、２及び既設の窓３を取り外して、開口部用軸組１を露出させる。
【００３１】
次に、露出した開口部用軸組１の外周枠５内に新設の開口形成用枠材８０を連結具３２を用いて溶接レスで連結することで、開口部用軸組１の窓取付用開口８６のサイズを小さくする。このとき、既設の開口部用軸組１の外周枠５内に取り付けてある上下の既設の開口形成用枠材６、７は、切断除去することなくそのまま残して、下側の既設の開口形成用枠材７上に新設の開口形成用枠材８０を重ねるようにして取り付けている。
【００３２】
開口形成用枠材８０は、図１２に示すように、外周枠５の縦枠材１０、１０間に差し渡されるリップ付き溝形鋼からなる横材８２と、この横材８２の中央部から下方へ突出したリップ付き溝形鋼からなる一対の縦材８３、８３と、これら縦材８３、８３を挟むようにして横材８２の両端部から下方へ突出したリップ付き溝形鋼からなる一対の縦材８４、８４と、これら縦材８３、８４・・の下端部間を連結する補助横材８５とを一体的に組み付けてなる。なお、横材８２は、そのリップが下向きとなるようにして配され、縦材８３、８３は、互いのウエブ部分を重ね合わせるようにして配され、補助横材８５は、そのリップが上向きとなるようにして配されている。そして、横材８２の左右両端部には、上記の接合部材４０、４０がそれぞれ設けられて、上記と同様に外周枠５の縦枠材１０、１０に係止部材６０、６０によって止め付けられる。また、補助横材８５は、下側の既設の開口形成用枠材７にボルト止めされるようになっている。
【００３３】
このようにして開口形成用枠材８０を取り付けることで、窓取付用開口８６のサイズを小さくした開口部用軸組１に対して、最終的に、新設の外壁パネル７０、７０及び新設の窓７１を取り付けることで、外壁部の窓サイズを小さくしている。このような手順においては、窓サイズを大きくすることはできないものの、既設の開口形成用枠材６、７の切断除去といった現場加工を廃止して、施工性を向上することができる。なお、その他の構成及び作用効果は、図１に示す手順の場合と同様である。
【００３４】
この発明は、上記実施形態に限定されるものではなく、この発明の範囲内で上記実施形態に多くの修正及び変更を加え得ることは勿論である。
【図面の簡単な説明】
【００３５】
【図１】この発明の一実施形態に係る住宅における窓サイズの変更手順を示す図である。
【図２】新設の開口形成用枠材の斜視図である。
【図３】横材に設けた接合部材の斜視図である。
【図４】縦材に設けた接合部材の斜視図である。
【図５】係止部材の斜視図である。
【図６】外周枠への係止部材の係合動作を示す斜視図である。
【図７】連結具を用いた外周枠への横材の連結途中の状態を示す斜視図である。
【図８】連結具を用いた外周枠への横材の連結状態を示す斜視図である。
【図９】連結具を用いた外周枠への縦材の連結状態を示す縦断面図である。
【図１０】連結具を用いた外周枠への縦材の連結状態を示す縦断面図である。
【図１１】住宅における窓サイズの別の変更手順を示す図である。
【図１２】新設の開口形成用枠材の斜視図である。
【符号の説明】
【００３６】
１・・開口部用軸組、２・・既設の外壁パネル、３・・既設の開口部(窓)、５・・外周枠、６、７・・既設の開口形成用枠材、１０、１１、１２・・外周枠の枠材、３０、３１、８０・・新設の開口形成用枠材、３２・・連結具、３５、５０、８２・・横材、３６、５１、５２、８３、８４・・縦材、４０、４１・・接合部材、６０・・係止部材、４２、４６・・固定プレート、４３、４７・・ボルト挿通孔、４４、４８・・接合プレート、４５・・爪部、６１・・連結ボルト、６２・・係止プレート、６３・・ナット、７０・・新設の外壁パネル、７１・・新設の開口部(窓)
【図１】
2008121322.tif 000003
【図２】
2008121322.tif 000004
【図３】
2008121322.tif 000005
【図４】
2008121322.tif 000006
【図５】
2008121322.tif 000007
【図６】
2008121322.tif 000008
【図７】
2008121322.tif 000009
【図８】
2008121322.tif 000010
【図９】
2008121322.tif 000011
【図１０】
2008121322.tif 000012
【図１１】
2008121322.tif 000013
【図１２】
2008121322.tif 000014